(57)【要約】【課題】パラメータ設定型のジョブメモリにおいて、ユーザが設定するジョブパラメータ若しくはトレイの紙質を元に最適または類似のジョブメモリを自動的に処理することが可能な画像処理装置およびそのパラメータ処理方法を提供する。【解決手段】ジョブパラメータをジョブメモリとして登録する際に、ジョブメモリに関連付けるジョブパラメータの項目を指定し、ジョブメモリ登録部はその項目をジョブメモリに関連付けて登録する。そして、ジョブメモリを検索するためにジョブパラメータを指定すると、ジョブメモリ検索部はそのジョブパラメータが関連付けられたジョブメモリを検索する。【選択図】図１
2006174266.tif 000002
【特許請求の範囲】
【請求項１】
ジョブパラメータを設定する設定手段を具備し、該設定手段で設定したジョブパラメータに従って画像処理を行う画像処理装置において、
前記設定手段で設定したジョブパラメータをジョブメモリとして登録する際に、該ジョブメモリと該ジョブパラメータの少なくとも１つとを関連付けて登録する登録手段と、
前記登録手段で登録したジョブメモリから所望のジョブメモリを検索する際に、少なくとも１つのジョブパラメータを指定する指定手段と、
前記指定手段で指定したジョブパラメータと関連付けられているジョブメモリを検索する検索手段と、
前記検索手段で検索したジョブメモリを表示する表示手段と
を具備することを特徴とする画像処理装置。
【請求項２】
前記ジョブパラメータは、
カラーモードの選択、トレイの選択、該トレイに設置されている用紙の紙質、倍率の選択、両面／片面の選択、仕分け／ホチキスの選択である
ことを特徴とする請求項１記載の画像処理装置。
【請求項３】
前記検索手段は、
前記指定手段で複数のジョブパラメータが指定された場合、該複数のジョブパラメータの論理和若しくは論理積に基づいて前記ジョブメモリを検索する
ことを特徴とする請求項１記載の画像処理装置。
【請求項４】
前記表示手段は、
前記検索手段で複数のジョブメモリが検索された場合、
該複数のジョブメモリの一覧を表示し、
該表示された複数のジョブメモリの中から選択された際に、該選択されたジョブメモリのジョブパラメータを表示する
ことを特徴とする請求項１記載の画像処理装置。
【請求項５】
前記検索手段でジョブメモリが１つだけ検索された際に、該ジョブメモリのジョブパラメータを前記設定手段で設定するか否かを選択する設定選択手段
を更に具備し、
前記設定選択手段により前記設定手段で設定すると選択された場合、前記１つだけ検索されたジョブメモリのジョブパラメータを該設定手段で設定し、
前記設定選択手段により前記設定手段で設定しないと選択された場合、前記表示手段は前記１つだけ検索されたジョブメモリのジョブパラメータを表示する
ことを特徴とする請求項１記載の画像処理装置。
【請求項６】
前記登録手段は、
前記ジョブメモリに対して前記検索手段による検索が可能か否かを設定する
ことを特徴とする請求項１記載の画像処理装置。
【請求項７】
ジョブパラメータを設定する設定手段を具備し、該設定手段で設定したジョブパラメータに従って画像処理を行う画像処理装置のパラメータ処理方法において、
前記設定手段で設定したジョブパラメータをジョブメモリとして登録する際に、登録手段により該ジョブメモリと該ジョブパラメータの少なくとも１つとを関連付けて登録し、
該登録したジョブメモリから所望のジョブメモリを検索する際に、少なくとも１つのジョブパラメータを指定手段により指定し、
該指定したジョブパラメータと関連付けられているジョブメモリを検索手段により検索し、
該検索したジョブメモリを表示手段により表示する
ことを特徴とする画像処理装置のパラメータ処理方法。
【請求項８】
前記ジョブパラメータは、
カラーモードの選択、トレイの選択、該トレイに設置されている用紙の紙質、倍率の選択、両面／片面の選択、仕分け／ホチキスの選択である
ことを特徴とする請求項７記載の画像処理装置のパラメータ処理方法。
【請求項９】
前記検索手段は、
前記指定手段で複数のジョブパラメータが指定された場合、該複数のジョブパラメータの論理和若しくは論理積に基づいて前記ジョブメモリを検索する
ことを特徴とする請求項７記載の画像処理装置のパラメータ処理方法。
【請求項１０】
前記表示手段は、
前記検索手段で複数のジョブメモリが検索された場合、
該複数のジョブメモリの一覧を表示し、
該表示された複数のジョブメモリの中から選択された際に、該選択されたジョブメモリのジョブパラメータを表示する
ことを特徴とする請求項７記載の画像処理装置のパラメータ処理方法。
【請求項１１】
前記検索手段でジョブメモリが１つだけ検索された際に、該ジョブメモリのジョブパラメータを前記設定手段で設定するか否かを選択手段により選択し、
前記選択手段により前記設定手段で設定すると選択された場合、前記１つだけ検索されたジョブメモリのジョブパラメータを該設定手段で設定し、
前記選択手段により前記設定手段で設定しないと選択された場合、前記表示手段は前記１つだけ検索されたジョブメモリのジョブパラメータを表示する
ことを特徴とする請求項７記載の画像処理装置のパラメータ処理方法。
【請求項１２】
前記登録手段は、
前記ジョブメモリに対して前記検索手段による検索が可能か否かを設定する
ことを特徴とする請求項７記載の画像処理装置のパラメータ処理方法。
【発明の詳細な説明】
【技術分野】
【０００１】
本発明は、画像処理装置およびそのパラメータ処理方法に関し、特に、画像処理に関するパラメータをジョブメモリとして登録する画像処理装置およびそのパラメータ処理方法に関する。
【背景技術】
【０００２】
従来、複写機、プリンタ、スキャナ、ファクシミリ等の画像処理装置においては、ジョブを実行する際に、その動作条件等をジョブパラメータとして設定する必要がある。ジョブパラメータの設定には繁雑な操作が必要なためにジョブの実行準備に要する時間が長くなる。
【０００３】
このため、画像処理装置においては、設定したジョブパラメータをジョブメモリとして登録し、同様のジョブパラメータで画像処理する際に、このジョブメモリを呼び出すという構成にすることで、手動操作によるジョブパラメータの設定のような繁雑な操作を回避することが可能になった。なお、このジョブメモリは登録を行う時点でのジョブパラメータを登録するものであり、通常はジョブパラメータの設定を終えた状態で登録を行う。また、必ずしもジョブパラメータの全項目を設定する必要は無く、一部の項目を設定するようにしても良い。
【０００４】
しかし、ジョブパラメータを登録するジョブメモリでは、複数のジョブメモリを記憶できるため、ユーザはどのジョブメモリを処理すれば良いか迷ってしまうという問題があった。
【０００５】
そこで、例えば、入力された操作手順を登録し、且つ、この操作手順の識別子を出力情報に付加した情報を入力した際に、登録された操作手順に従った操作手順を自動実行し、この際、付加された識別子に基づいて登録された操作手順を検索して出力するデジタル複写装置がある（例えば、特許文献１参照。）。
【特許文献１】特開平８−２８９０５０号公報
【発明の開示】
【発明が解決しようとする課題】
【０００６】
しかし、特許文献１に記載の技術では、ジョブメモリを登録する際に識別子を考えて入力するという繁雑な作業が必要になり、更に同一の識別子のジョブメモリが既に登録されていると登録できないという問題もあり、更にユーザが識別子を忘れてしまうとジョブメモリを検索できないという問題がある。
【０００７】
そこで、本発明は、パラメータ設定型のジョブメモリにおいて、ユーザが設定するジョブパラメータ若しくはトレイの紙質を元に最適または類似のジョブメモリを自動的に処理することが可能な画像処理装置およびそのパラメータ処理方法を提供することを目的とする。
【課題を解決するための手段】
【０００８】
上記目的を達成するため、請求項１の発明は、ジョブパラメータを設定する設定手段を具備し、該設定手段で設定したジョブパラメータに従って画像処理を行う画像処理装置において、前記設定手段で設定したジョブパラメータをジョブメモリとして登録する際に、該ジョブメモリと該ジョブパラメータの少なくとも１つとを関連付けて登録する登録手段と、前記登録手段で登録したジョブメモリから所望のジョブメモリを検索する際に、少なくとも１つのジョブパラメータを指定する指定手段と、前記指定手段で指定したジョブパラメータと関連付けられているジョブメモリを検索する検索手段と、前記検索手段で検索したジョブメモリを表示する表示手段とを具備することを特徴とする。
【０００９】
また、請求項２の発明は、請求項１の発明において、前記ジョブパラメータは、カラーモードの選択、トレイの選択、該トレイに設置されている用紙の紙質、倍率の選択、両面／片面の選択、仕分け／ホチキスの選択であることを特徴とする。
【００１０】
また、請求項３の発明は、請求項１の発明において、前記検索手段は、前記指定手段で複数のジョブパラメータが指定された場合、該複数のジョブパラメータの論理和若しくは論理積に基づいて前記ジョブメモリを検索することを特徴とする。
【００１１】
また、請求項４の発明は、請求項１の発明において、前記表示手段は、前記検索手段で複数のジョブメモリが検索された場合、該複数のジョブメモリの一覧を表示し、該表示された複数のジョブメモリの中から選択された際に、該選択されたジョブメモリのジョブパラメータを表示することを特徴とする。
【００１２】
また、請求項５の発明は、請求項１の発明において、前記検索手段でジョブメモリが１つだけ検索された際に、該ジョブメモリのジョブパラメータを前記設定手段で設定するか否かを選択する設定選択手段を更に具備し、前記設定選択手段により前記設定手段で設定すると選択された場合、前記１つだけ検索されたジョブメモリのジョブパラメータを該設定手段で設定し、前記設定選択手段により前記設定手段で設定しないと選択された場合、前記表示手段は前記１つだけ検索されたジョブメモリのジョブパラメータを表示することを特徴とする。
【００１３】
また、請求項６の発明は、請求項１の発明において、前記登録手段は、前記ジョブメモリに対して前記検索手段による検索が可能か否かを設定することを特徴とする。
【００１４】
また、請求項７の発明は、ジョブパラメータを設定する設定手段を具備し、該設定手段で設定したジョブパラメータに従って画像処理を行う画像処理装置のパラメータ処理方法において、前記設定手段で設定したジョブパラメータをジョブメモリとして登録する際に、登録手段により該ジョブメモリと該ジョブパラメータの少なくとも１つとを関連付けて登録し、該登録したジョブメモリから所望のジョブメモリを検索する際に、少なくとも１つのジョブパラメータを指定手段により指定し、該指定したジョブパラメータと関連付けられているジョブメモリを検索手段により検索し、該検索したジョブメモリを表示手段により表示することを特徴とする。
【００１５】
また、請求項８の発明は、請求項７の発明において、前記ジョブパラメータは、カラーモードの選択、トレイの選択、該トレイに設置されている用紙の紙質、倍率の選択、両面／片面の選択、仕分け／ホチキスの選択であることを特徴とする。
【００１６】
また、請求項９の発明は、請求項７の発明において、前記検索手段は、前記指定手段で複数のジョブパラメータが指定された場合、該複数のジョブパラメータの論理和若しくは論理積に基づいて前記ジョブメモリを検索することを特徴とする。
【００１７】
また、請求項１０の発明は、請求項７の発明において、前記表示手段は、前記検索手段で複数のジョブメモリが検索された場合、該複数のジョブメモリの一覧を表示し、該表示された複数のジョブメモリの中から選択された際に、該選択されたジョブメモリのジョブパラメータを表示することを特徴とする。
【００１８】
また、請求項１１の発明は、請求項７の発明において、前記検索手段でジョブメモリが１つだけ検索された際に、該ジョブメモリのジョブパラメータを前記設定手段で設定するか否かを選択手段により選択し、前記選択手段により前記設定手段で設定すると選択された場合、前記１つだけ検索されたジョブメモリのジョブパラメータを該設定手段で設定し、前記選択手段により前記設定手段で設定しないと選択された場合、前記表示手段は前記１つだけ検索されたジョブメモリのジョブパラメータを表示することを特徴とする。
【００１９】
また、請求項１２の発明は、請求項７の発明において、前記登録手段は、前記ジョブメモリに対して前記検索手段による検索が可能か否かを設定することを特徴とする。
【発明の効果】
【００２０】
本発明によれば、ジョブメモリの内容を把握していないユーザでもジョブパラメータ若しくはトレイの紙質を元に最適または類似のジョブメモリを自動的に処理することが可能になるという効果を奏する。
【発明を実施するための最良の形態】
【００２１】
以下、本発明に係る画像処理装置およびそのパラメータ処理方法の実施の形態について添付図面を参照して詳細に説明する。
【００２２】
図１は、本発明に係る画像処理装置１の機能的な構成の一例を示すブロック図である。
【００２３】
図１に示すように、画像処理装置１は、入力部２、表示部３、入力制御部４、ジョブメモリ登録部５、ジョブメモリ記憶部６、ジョブメモリ検索部７、表示制御部８、ジョブパラメータ設定部９、画像処理部１０を具備して構成される。
【００２４】
入力部２は、ユーザがジョブパラメータまたはジョブメモリの登録、検索等の各種指示を入力するためのキースイッチ等である。表示部３は、ジョブパラメータの設定画面、ジョブメモリの一覧表示画面等の各種画面を表示するディスプレイ等である。なお、入力部２の機能と表示部３の機能とを両方兼ね備えた液晶タッチパネル方式の操作パネルとする構成も可能である。
【００２５】
入力制御部４は、入力部２より入力されたジョブパラメータまたは各種指示を受け付け、受け付けたジョブパラメータまたは各種指示を各構成部に転送する処理を行う。
【００２６】
ジョブメモリ登録部５は、入力制御部４で受け付けたジョブパラメータをジョブメモリとしてジョブメモリ記憶部６に登録する処理を行う。また、ジョブメモリを登録する際に、ユーザの指定により、そのジョブメモリと設定されたジョブパラメータとを関連付けて登録する。
【００２７】
ジョブメモリ検索部７は、ジョブメモリに関連付けられているジョブパラメータに基づき、ジョブメモリを検索する処理を行う。
【００２８】
表示制御部８は、表示部３に各種画面を表示する制御を行う。
【００２９】
ジョブパラメータ設定部９は、ジョブパラメータを設定する処理（つまり、このジョブパラメータに従って画像処理部１０に画像処理を行わせる）を行う。
【００３０】
画像処理部１０は、ジョブパラメータ設定部９が設定したジョブパラメータに従って、画像処理を行う。
【００３１】
次に、ジョブメモリを登録する際の画像処理装置１の機能的な動作について図１を参照して説明する。
【００３２】
ユーザが入力部２からジョブパラメータおよびそのジョブパラメータをジョブメモリとして登録する旨を入力すると、入力制御部４はジョブパラメータをおよびそのジョブパラメータをジョブメモリとして登録する旨を受け付け、受け付けたジョブパラメータをジョブメモリ登録部５に渡す。
【００３３】
そして、ユーザが入力部２からジョブメモリに関連付けるジョブパラメータの項目を入力すると、入力制御部４はジョブパラメータの項目を受け付け、受け付けたジョブパラメータの項目をジョブメモリ登録部５に渡す。
【００３４】
ジョブメモリ登録部５はジョブパラメータおよびジョブメモリに関連付けるジョブパラメータの項目を受け付けると、受け付けたジョブパラメータをジョブメモリとしてジョブメモリ記憶部６に登録する際に、そのジョブメモリに受け付けたパラメータの項目を関連付ける。
【００３５】
次に、ジョブメモリを検索する際の画像処理装置１の機能的な動作について図１を参照して説明する。
【００３６】
ユーザが入力部２からジョブメモリの検索の指示およびジョブパラメータを入力すると、入力制御部４はジョブメモリの検索の指示およびジョブパラメータを受け付け、受け付けたジョブパラメータをジョブメモリ検索部７に渡し、ジョブメモリ検索部７はジョブパラメータを受け取ると、受け取ったジョブパラメータが関連付けられたジョブメモリをジョブメモリ記憶部６から検索する。
【００３７】
ここで、検索したジョブメモリが１件であり、且つジョブメモリの内容（つまり、ジョブパラメータ）の自動設定がＯＮに設定されている場合（なお、この自動設定のＯＮ／ＯＦＦはユーザによる切り替えが可能である）、ジョブメモリ検索部７は検索したジョブメモリの内容を設定する旨をジョブパラメータ設定部９に通知し、ジョブパラメータ設定部９は検索したジョブメモリの内容を設定する通知を受け付けると、ジョブメモリ記憶部６から検索したジョブメモリを取り出し、取り出したジョブメモリの内容を設定する。更に、ジョブメモリ検索部７は検索したジョブメモリの内容（つまり、ジョブパラメータ設定部により設定されたジョブパラメータ）を表示制御部８に渡し、表示制御部８はジョブメモリの内容を受け取ると、受け取ったジョブメモリの内容を表示部３に表示する。
【００３８】
また、検索したジョブメモリが１件であり、且つジョブメモリの内容の自動設定がＯＦＦに設定されている場合、ジョブメモリ検索部７は検索したジョブメモリの内容を表示制御部８に渡し、表示制御部８はジョブメモリの内容を受け取ると、受け取ったジョブメモリの内容を表示部３に表示する。
【００３９】
また、検索したジョブメモリが２件以上である場合、ジョブメモリ検索部７は検索した複数のジョブメモリの識別子（例えば、ジョブメモリ名）を表示制御部８に渡し、表示制御部８は複数のジョブメモリの識別子を受け取ると、受け取った複数のジョブメモリの識別子の一覧を表示部３に表示する。
【００４０】
そして、ユーザは複数のジョブメモリの識別子の一覧を確認し、入力部２によりその一覧の中から１つのジョブメモリを選択すると、入力制御部４は選択されたジョブメモリの識別子を受け付け、受け付けたジョブメモリの識別子をジョブメモリ検索部７に渡し、ジョブメモリ検索部７はジョブメモリの識別子を受け取ると、受け取ったジョブメモリの識別子に対応するジョブメモリの内容をジョブメモリ記憶部６から取り出し、取り出したジョブメモリの内容を表示制御部８に渡し、表示制御部８はジョブメモリの内容を受け取ると、受け取ったジョブメモリの内容を表示部３に表示する。
【００４１】
なお、新たなジョブパラメータを追加してジョブメモリの検索を行う場合、ユーザが入力部２からジョブメモリの検索の指示および追加ジョブパラメータを入力すると、入力制御部４はジョブメモリの検索の指示および追加ジョブパラメータを受け付け、受け付けた追加ジョブパラメータをジョブメモリ検索部７に渡し、ジョブメモリ検索部７は追加ジョブパラメータを受け取ると、受け取ったジョブパラメータが関連付けられたジョブメモリを、先に検索したジョブメモリの中から検索する。
【００４２】
次に、画像処理装置１が行うジョブメモリ登録の処理手順について図２に示すフローチャートを参照して説明する。
【００４３】
ユーザが図３に示すようなジョブパラメータ設定画面においてジョブパラメータの設定を行い（ステップＳ２０１）、図４に示すようなジョブメモリ登録画面においてジョブメモリと設定したジョブパラメータとを関連付けるように指示された場合（ステップＳ２０２でＹＥＳ）、ステップＳ２０３に進み、また、ジョブメモリと設定したジョブパラメータとを関連付けるように指示されなかった場合（ステップＳ２０２でＮＯ）、ステップＳ２０４に進む。
【００４４】
ジョブメモリと設定したジョブパラメータとを関連付けるように指示された場合（ステップＳ２０２でＹＥＳ）、図５に示すようなジョブパラメータ関連付け画面においてジョブメモリと関連付けるジョブパラメータを設定する（ステップＳ２０３）。
【００４５】
そして、ジョブメモリを登録し（ステップＳ２０４）、ジョブメモリ登録の処理手順を終了する。
【００４６】
例えば、図３では、「カラーモード」が「黒」、「倍率選択」が「１００％」、「用紙選択」が「トレイ１  Ａ４たて」、「両面／片面選択」が「片面→片面」、「仕分け／ホチキス」が「自動仕分け」にそれぞれ設定されている。ここで、図３に示すようなジョブパラメータ設定画面１１上の「登録」のボタン１２を押下等すると、図４に示すようなジョブメモリ登録画面１３が表示部に表示される。
【００４７】
そして、ジョブメモリと設定したジョブパラメータとを関連付ける場合、図４に示すようなジョブメモリ登録画面１３上の「関連付け」のボタン１４を押下等すると、図５に示すようなパラメータ関連付け画面１５が表示部に表示される。
【００４８】
例えば、図５では、「用紙選択」および「カラーモード」がジョブメモリと関連付けて登録されるように設定されている。ここで、図５に示すようなパラメータ関連付け画面１５上の「登録」のボタン１６を押下等すると、「用紙選択（トレイ１  Ａ４たて）」および「カラーモード（黒）」を関連付けたジョブメモリを登録する。
【００４９】
図６は、ジョブメモリ記憶部６に登録されたジョブメモリとそのジョブメモリに関連付けられたジョブパラメータとを示す図である。
【００５０】
例えば、図６では、「ジョブメモリ１番」は「カラーモード（黒）」と「用紙選択（トレイ１  Ａ４たて）」とが関連付けられており、「ジョブメモリ６番」は「カラーモード（黒）」と「用紙選択（トレイ２  Ａ３よこ）」とが関連付けられており、「ジョブメモリ８番」は「カラーモード（黒）」と「用紙選択（トレイ３  ８．５×１１”よこ）」と「両面／片面選択（両→両）」とが関連付けられている。
【００５１】
次に、画像処理装置１が行うジョブメモリ検索の処理手順について図７に示すフローチャートを参照して説明する。
【００５２】
ユーザが図８に示すようなジョブメモリ検索画面においてジョブパラメータの指定を行い（ステップＳ７０１）、指定されたジョブパラメータが関連付けられたジョブメモリを検索し（ステップＳ７０２）、検索したジョブメモリが１件だけである場合（ステップＳ７０３でＹＥＳ）、ステップＳ７０４に進み、また、検索したジョブメモリが２件以上である場合（ステップＳ７０３でＮＯ）、ステップＳ７０８に進む。
【００５３】
検索したジョブメモリが１件だけである場合（ステップＳ７０３でＹＥＳ）、ジョブパラメータの自動設定のＯＮ／ＯＦＦを確認し、ジョブパラメータの自動設定がＯＮである場合（ステップＳ７０４でＹＥＳ）、ステップＳ７０５に進み、また、ジョブパラメータの自動設定がＯＦＦである場合（ステップＳ７０４でＮＯ）、ステップＳ７０８に進む。
【００５４】
ジョブパラメータの自動設定がＯＮである場合（ステップＳ７０４でＹＥＳ）、検索したジョブメモリのジョブパラメータを自動設定し（ステップＳ７０５）、図１１に示すようなジョブパラメータ設定画面に、自動設定したジョブパラメータを表示し（ステップＳ７０６）、ジョブメモリ検索の処理手順を終了する。
【００５５】
また、検索したジョブメモリが２件以上である場合（ステップＳ７０３でＮＯ）、図８に示すようなジョブメモリ検索画面において候補一覧ボタンが押下された場合（ステップＳ７０７でＹＥＳ）、ステップＳ７０８に進み、また、候補一覧ボタンが押下されなかった場合（ステップＳ７０７でＮＯ）、ステップＳ７０１に戻る。
【００５６】
図８に示すようなジョブメモリ検索画面において候補一覧ボタンが押下された場合（ステップＳ７０７でＹＥＳ）、図９に示すようなジョブメモリ候補一覧画面にジョブメモリの候補一覧を表示する（ステップＳ７０８）。ここで、ユーザが図８に示すようなジョブメモリ検索画面において更なるジョブパラメータの指定を行った場合（ステップＳ７０９でＹＥＳ）、ステップＳ７０２に戻る。
【００５７】
また、図９に示すようなジョブメモリ候補一覧画面においてジョブメモリが選択された場合（ステップＳ７０９でＮＯ且つステップＳ７１０）、図１０に示すようにジョブパラメータを設定し（ステップＳ７１１）、、図１１に示すようなジョブパラメータ設定画面に、設定したジョブパラメータを表示し（ステップＳ７０６）、ジョブメモリ検索の処理手順を終了する。
【００５８】
次に、画像処理装置１が行うジョブメモリ検索について、図６に示すようなジョブメモリを登録したジョブメモリ記憶部６から「ジョブメモリ１番」を検索することを具体例として説明する。
【００５９】
図８に示すようなジョブメモリ検索画面１７において「カラーモード」を「黒」に指定し、ジョブメモリ検索画面上の「検索」のボタン１８を押下等すると、「カラーモード（黒）」が関連付けられているジョブメモリの検索を開始する。図６に示す「ジョブメモリ１番」、「ジョブメモリ６番」および「ジョブメモリ８番」は「カラーモード（黒）」が関連付けられているため、図９に示すようなジョブメモリ候補一覧画面１９に「ジョブメモリ１番」、「ジョブメモリ６番」および「ジョブメモリ８番」が表示される。そしてジョブメモリ候補一覧画面１９において「ジョブメモリ１番」を選択し、ジョブメモリ候補一覧画面１９上の「選択」のボタン２０を押下等すると、図１０に示すようなジョブメモリ内容画面２１に「ジョブメモリ１番」の内容（つまり、ジョブパラメータ）が表示され、この内容で良ければ、ジョブメモリ内容表示画面２１上の「設定」のボタン２２を押下等すると、「ジョブメモリ１番」のジョブパラメータが設定され、図１１に示すようなジョブパラメータ設定画面２３が表示される。
【００６０】
また、図９に示すようなジョブメモリ候補一覧画面１９が表示された後、図８に示すようなジョブメモリ検索画面１７において「カラーモード」を「黒」、「用紙選択」を「トレイ１  Ａ４たて」に指定して再検索を行うと、図６に示すジョブメモリの中で「カラーモード（黒）」且つ「用紙選択（トレイ１  Ａ４たて）」が関連付けられているのは「ジョブメモリ１番」だけであり、ジョブパラメータの自動設定がＯＮである場合、「ジョブメモリ１番」のジョブパラメータが自動設定され、図１１に示すようなジョブパラメータ設定画面２３が表示される。
【００６１】
なお、図８に示すようなジョブメモリ検索画面１７において複数のジョブパラメータを指定する際のａｎｄ条件／ｏｒ条件を設定することができる。
【００６２】
また、ジョブメモリを登録する際にそのジョブメモリに対してジョブメモリ検索で検索できる／できないを設定することができる。ただし、ジョブメモリを登録する際にジョブパラメータを関連付けないことで、ジョブメモリ検索で検索されないジョブメモリを登録することは可能である。
【００６３】
また、上述したジョブメモリ登録およびジョブメモリ検索の機能に対してＯＮ／ＯＦＦを設定することができる。
【図面の簡単な説明】
【００６４】
【図１】本発明に係る画像処理装置の機能的な構成の一例を示すブロック図である。
【図２】画像処理装置が行うジョブメモリ登録の処理手順を示すフローチャートである。
【図３】表示部に表示されるジョブパラメータ設定画面の一例を示す図である。
【図４】表示部に表示されるジョブメモリ登録画面の一例を示す図である。
【図５】表示部に表示されるジョブパラメータ関連付け画面の一例を示す図である。
【図６】ジョブメモリ記憶部に登録されたジョブメモリとそのジョブメモリに関連付けられたジョブパラメータとを示す図である。
【図７】画像処理装置が行うジョブメモリ検索の処理手順を示すフローチャートである。
【図８】表示部に表示されるジョブメモリ検索画面の一例を示す図である。
【図９】表示部に表示されるジョブメモリ候補一覧画面の一例を示す図である。
【図１０】表示部に表示されるジョブメモリ内容画面の一例を示す図である。
【図１１】表示部に表示されるジョブパラメータ設定画面の一例を示す図である。
【符号の説明】
【００６５】
１    画像処理装置
２    入力部
３    表示部
４    入力制御部
５    ジョブメモリ登録部
６    ジョブメモリ記憶部
７    ジョブメモリ検索部
８    表示制御部
９    ジョブパラメータ設定部
１０    画像処理部
１１    パラメータ設定画面
１２    「登録」のボタン
１３    ジョブメモリ登録画面
１４    「関連付け」のボタン
１５    ジョブパラメータ関連付け画面
１６    「登録」のボタン
１７    ジョブメモリ検索画面
１８    「検索」のボタン
１９    ジョブメモリ候補一覧画面
２０    「選択」のボタン
２１    ジョブメモリ内容画面
２２    「設定」ボタン
２３    ジョブパラメータ設定画面
【図１】
2006174266.tif 000003
【図２】
2006174266.tif 000004
【図３】
2006174266.tif 000005
【図４】
2006174266.tif 000006
【図５】
2006174266.tif 000007
【図６】
2006174266.tif 000008
【図７】
2006174266.tif 000009
【図８】
2006174266.tif 000010
【図９】
2006174266.tif 000011
【図１０】
2006174266.tif 000012
【図１１】
2006174266.tif 000013